(57)【要約】【課題】複数の荷提げ形態を選択できるという利便性のある携行用容器に対して少ない操作で快適に背に吊るための構造を準備し、少ない操作で背に吊るための構造を収納する。【解決手段】携行用容器の背面側、その左右の均衡が取れる位置から携行用容器を吊るし、その吊るしている支点を、上体で固定した肩に担いで支える構造と接続することで、背から吊る際に、携行用容器の位置を腰近辺まで下げる。また背から吊るため構造と携行用容器との間で、肩に担いで支える構造を、捲き上げや挟み込みなどの方法によって収納することで、背から吊るための機能の収納及び展開に対する作業の簡略化を図る。【選択図】図１
2016101310.tif 000002
【特許請求の範囲】
【請求項１】
複数の携行手段を有する荷物を携行するために用いる携行用容器で、肩に担いで支える構造を持ち、懸垂するための構造を備え、前記懸垂するための構造で前記携行用容器を吊し、その前記懸垂するための構造を前記肩に担いで支える構造に設けた支点から下げ、その前記肩に担いで支える構造は上体へ固定する。担がない際は、前記懸垂するための構造と前記肩に担いで支える構造を束ねるなどの方法で、一体の物として取り扱うことにより運用の幅を拡げた前記携行用容器。
【請求項２】
前記懸垂するための構造が前記携行用容器の背面側から突出する形で接続した構造を備える請求項1に記載の携行用容器。
【請求項３】
前記携行用容器の背面側において、少なくともその左右の均衡が取れる位置に形成し、背面側に向かって前後に開閉可能な前記懸垂するための構造を兼ねる開閉部と、前記開閉部の端部に取り付けた前記肩に担いで支える構造を備える請求項2に記載の携行用容器。
【請求項４】
前記開閉部と前記肩に担いで支える構造を束ね上下する環状などの構造を備える、請求項2又は3に記載の携行用容器。
【請求項５】
背に吊る際、前記開閉部から前記携行用容器の前面側の一部を覆う表装を備え、前記携行用容器の前面側と前記表装の重なる箇所を一時的に接続するための着脱自在な着脱具状の構造を備える、請求項3又は4に記載の携行用容器。
【請求項６】
前記開閉部と前記表装を両端とする補強材を、前記携行用容器の表面又は内側に設け、前記携行用容器にかかる重量を前記開閉部及び前記表装と接続する箇所で分散して支える構造を備える、請求項5に記載の携行用容器。
【請求項７】
背に吊る際、前記開閉部から前記携行用容器の前面側の一部を覆う表装を備え、前記携行用容器の前面側に備えた手提げ用の構造と前記表装を一時的に接続するための着脱自在な着脱具状の構造を備える、請求項3又は4に記載の携行用容器。
【請求項８】
前記開閉部と前記携行用容器の開口部を挟んで向かい合う側の前記手提げに用いる構造を両端とする補強材を前記携行用容器の表面又は内側に備え、前記携行用容器にかかる重量を前記開閉部及び前記表装と接続する前記手提げに用いる構造で分散して支える構造を備える、請求項7に記載の携行用容器。
【発明の詳細な説明】
【技術分野】
【０００１】
本発明は、複数の荷提げ形態を選択できるという利便性のある携行用容器に関する。
【背景技術】
【０００２】
外出中に携行用容器を持って出ている際、両手を開放する必要が発生した場合や、肩掛けで携行用容器を提げた状態では行動に支障をきたす場合などに備えて用いるような、背負うための構造を有した３wayバックなどの携行用容器が多く提案されている。
【０００３】
それらには肩掛け時に使用する紐やベルトを背負い紐やベルトとして転用するもの、又は背負い紐やベルトがあらかじめ収納されており背負い時に引き出して利用するものなどがある。
【先行技術文献】
【特許文献】
【０００４】
【特許文献１】実登２５１５０７２号公報
【特許文献２】特許４００８０２２号公報
【特許文献３】特許３８６１１０７号公報
【特許文献４】特許３５８４０１７号公報
【特許文献５】特開２００２−１７４１６号公報
【発明の概要】
【発明が解決しようとする課題】
【０００５】
しかし、上記のような携行用容器に対する荷提げ方法の変更は、荷提げ方法ごとに必要となる部品と、その部品をつなぎとめる携行用容器側との縫い付けなどによる固着やDカンなどといった接続部を設ける必要があるため、選択した荷提げ方法以外に用いる部品や前記接続部の収納、転用又は分離に手間と収納箇所を必要とする（例えば、特許文献１参照）。
【０００６】
しかも横型の携行用容器を立てて背負う場合（例えば、特許文献１参照）、内容物によっては詰め替えを要する可能性もある。それにもかかわらず、荷提げ方法を変更するための時間や場所又は部品を確保できるとは限らず（例えば、特許文献２、特許文献３及び特許文献４参照）、さらには前記を解決しても今度は背負うための構造が着衣などによる肩の厚みの変化に対して汎用性に欠けるなどと言う問題があった（例えば、特許文献５参照）。
【０００７】
また、背負う構造はあくまで複数ある荷提げ方法の一部に過ぎないため、防湿、背負った際の着崩れ、携行時の携行用容器に掛かる荷重の偏りを原因とする肉体への負担や携行用容器の破損、さらには置いた際の背負い紐の散乱や、その際に付着した汚れが再度背負った場合に服に移るなど運用上の不便さが軽視されがちである。
【０００８】
そのために、安易な対策として背負い紐を余らせ、着用時に背中へ大きくずり下げていたり、背中から大きく浮いていたりと、背負う（すなわち、背に乗せる）と言う、登山時の基本とは外れた使用方法をし、人体各部への負担だけではなく携行品の折れや潰れ、些細な行動で携行用容器が振り回され、周囲にぶつける又は電車の扉などで挟む、引き込まれる原因となるといった問題が存在した。 
本願発明はこのような問題の解決を目指すものである。
【課題を解決するための手段】
【０００９】
上記課題を解決するため、本願発明に係る複数の荷提げ形態を選択できるという利便性があり、携行品の内容によって選択し、携行するために用いる様々なサイズ、形態、素材の携行用容器において、背負うための構造は、一般的な前記携行用容器では背面に直接設ける物が多いが、問題の解決のため背負うための構造を廃し背に吊るための構造を採用する。
【００１０】
そこで、複数の携行手段を有し荷物を携行するために用いる携行用容器（２）で、肩に担いで支える構造（３２A及び３２B）を持ち、懸垂するための構造（２２）を備え、前記懸垂するための構造（２２）で前記携行用容器（２）を吊し、その前記懸垂するための構造（２２）を前記肩に担いで支える構造（３２A及び３２B）に設けた支点から下げ、その前記肩に担いで支える構造（３２A及び３２B）は上体へ固定する。担がない際は、前記懸垂するための構造（２２）と前記肩に担いで支える構造（３２A及び３２B）を束ねるなどの方法で、一体の物として取り扱うことにより収納など運用の幅を拡げた前記携行用容器（２）を提案する。
【００１１】
より詳細に説明すると、前記携行用容器（２）から接続部（以下、第一の接続部という。）（１２）、前記懸垂するための構造（２２）、支点を兼ねる接続部（以下、第二の接続部という。）（４２）、前記肩に担いで支える構造（３２A及び３２B）、と言う構成で繋げる。必要であれば、前記携行用容器（２）と前記肩に担いで支える構造（３２A及び３２B）の下端を接続する構造を設ける。
【００１２】
なお、ここで挙げる接続部とは二つの部材同士の縫いつけやDカンを縫い付けた部材とナスカンなどを縫い付けた部材の接続などを行う部分で、携行用容器全体の素材や使用目的、費用対効果、またその部分に掛かる荷重に鑑みて当業者が取捨選択する箇所なので端的に接続部と表記した。
【００１３】
前記携行用容器（２）と前記肩に担いで支える構造（３２A及び３２B）との接続の要不要については、前記のすべての構造と同様に、その素材や形態、荷重の分散、各種接続部の部材やその取り付け位置、前記懸垂するための構造（２２）や前記肩に担いで支える構造 （３２A及び３２B）の幅や長さの確保など、諸所の要素は携行用容器に入れる携行品の形態、素材、重量及び寸法などによって決定する携行用容器自体の目的、素材、形態、寸法、強度、質感、費用対効果などを前提に当業者が取捨選択する物である。
【００１４】
その効果として、前記懸垂するための構造（２２）と前記肩に担いで支える構造（３２A及び３２B）を留め具などの公知の技術で束ね（１６２）、前記懸垂するための構造（２２）と前記携行用容器（２）の間に、前記肩に担いで支える構造（３２A及び３２B）を沿わせるように挟み込んで収納するなどの方法によって引き回すことを容易にする。
【００１５】
前記懸垂するための構造（２２）が前記携行用容器（２）の背面側から突出する形で前記第一の接続部（１２）を備えてもよい。
【００１６】
その場合、前記携行用容器（２）の背面側に前記懸垂するための構造（２２）の持つ前記収納するなどの機能を阻害しない範囲に公知の技術を用いて接続する。
【００１７】
その一例として、前記携行用容器（１）の背面側において、少なくともその左右の均衡が取れる位置に形成し、背面側に向かって前後に開閉可能な前記懸垂するための構造（２２）を兼ねる開閉部（２１）と、前記開閉部（２１）の端部と前記携行用容器（１）を結ぶように取り付けた（１１）前記肩に担いで支える構造（３２A及び３２B）を備える携行用容器（１）といった形態も考えられる。
【００１８】
また、前記開閉部（２１）を閉じた際、前記開閉部（２１）の先端が浮き上がらないよう前記携行用容器（１）の本体に留める（８１）事が望ましいが一時的な接続を行う構造は公知のものでよい。
【００１９】
ここで挙げる一時的な接続を行う構造とは、二つの部材を一時的に留める面ファスナーなどの留め具としての機能を持った構造であるが当業者が取捨選択する箇所なので端的に一時的な接続を行う構造と表記した。
【００２０】
その場合、前記開閉部（２１）と前記肩に担いで支える構造（３２A及び３２B）を束ね上下する環状などの構造（５１）を取り付けることで紐でむすぶなどの手段に比べて簡易かつ迅速に拘束が可能となる。
【００２１】
なお、前記環状の構造（５１）が前記開閉部（２１）の先端から脱落のない様に考慮する。その手段は公知の方法でよい。
【００２２】
前記開閉部（２１）を有するような実施例では背に吊った際に、前記開閉部（２１）と前記携行用容器（１）との前記第一の接続部（１２）に荷重の負荷が集中する事も考えられる。
【００２３】
そこで、背に吊る際、前記開閉部（２１）から前記携行用容器（１）の前面側の一部を覆う表装（９１）を備え、前記携行用容器（１）の前面側と前記表装（９１）の重なる箇所を一時的に接続するための着脱自在な着脱具状の構造（１０１）（以下、第三の接続部という。）を備えるといったものが、一つの回避する手段としてあげられる。
【００２４】
より詳しく挙げると、前記開閉部（２１）と第三の接続部（１０１）など又は手提げなどの把手（１９５）を接続し、牽引する構造を前記開閉部（２１）の前記表装（９１）として配置して接続する。
【００２５】
前記までの例において前記肩に担いで支える構造（３２A及び３２B）がリュック類に取り付ける左右背負いバンドような構造（３１）（以下、バンドような構造という。）を採用している事も考えられる。
【００２６】
すると、前記牽引構造により荷重は前記開閉部（２１）の前記携行用容器（１）との接続部（１１）及び前記表装（９１）との接続部で分散する。かつ、前記バンドような構造（３１）の下端部が前記携行用容器（１）の下方と接続する場合、前記牽引構造により前記携行用容器（１）の背面側から前面側に向かって引っ張られる。その結果、前記バンドような構造（３１）の上部が後方に向かってずり下がろうとするの働きに逆らう力を生み出す。
【００２７】
前記分散の際、前記開閉部（２１）と前記表装（９１）を両端とする補強材（１８４）を、前記携行用容器（１）の表面又は内側に設け、前記携行用容器（１）にかかる重量を前記開閉部（２１）及び前記表装（９１）と接続する箇所で分散して支える構造を備える事も考慮する。
【００２８】
一例を挙げると、前記開閉部（２１）から前記携行用容器（１）の背面側へ、その後、前記携行用容器（１）の底面に沿わせて前面側を通って前記表装（９１）を経て前記開閉部（２１）に戻るように前記携行用容器（１）を輪に通すような補強により前記携行用容器（１）の第三の接続部（１０１）や手提げなどの把手（１９５）の付け根にあたる構造への補強を行うことなどがある。
【００２９】
背に吊った際、前記携行用容器（１）の本体が背に吊っている人間に当たる部分について、前記開閉部（２１）の両側に前記開閉部（２１）の機能を阻害しないように緩衝材や緩衝材を兼ねるポケットやポーチなどの収納部（１３１）を接続し、または設け、若しくは前記携行用容器（１）の本体に膨らみを持たせる事で人体との接触面の負担を緩和し通気のための凹みを形成してもよい。
【発明の効果】
【００３０】
少ない操作で背に吊る機能を発揮させることができる。前記肩に担いで支える構造が散乱しないので置いた際に、余計な場所を取らない。少ない操作で前記肩に担いで支える構造を収納できる。背に吊った状態の通気が確保できる。前記肩に担いで支える構造を束ねてから収納するので、他の携行用容器の様に収納部内で散乱して他の携行品の出し入れに対して邪魔にならない。
【００３１】
また、前記肩に担いで支える構造の上端と前記携行用容器に接続している箇所に荷重が集中しないのでそこを起点とする生地の断裂する可能性が低い。
【００３２】
なお、前記表装とその牽引により、開口部に傾斜と一部遮蔽が発生し前記携行用容器に後方から手を入れ辛くなると言う防犯効果が生じ、さらに着用者に取っては後ろ手で前記携行用容器内を探りやすくなる。
【図面の簡単な説明】
【００３３】
【図１】本発明の実施例１に係る斜視図である。
【図２】本発明の実施例２に係る斜視図である。
【図３】本発明の基本部分を図示した参考図である。
【図４】本発明の収納例を図示した参考図である。
【図５】本発明の実施例３に係る斜視図である。
【図６】本発明の実施例４に係る斜視図である。
【図７】本発明の実施例５に係る斜視図である。
【図８】本発明の実施例６に係る斜視図である。
【図９】本発明の実施例７に係る斜視図である。
【図１０】本発明の実施例１を背に吊った参考図である。
【発明を実施するための形態】
【００３４】
以下の各図を通じて、同一又は機能的に等価の要素は、２桁目と３桁目を揃えた参照番号で示す。
【００３５】
また、ショルダーバック用の肩掛けなどの他の携行手段用の構造や前記肩に担いで支える構造の下端が接続する位置、素材、接続箇所の幅や厚さ、前記肩に担いで支える構造に取り付ける肩当てなどの当然想起される部品類や開口部などの構造はここでは省略又は簡略化して図示した。
【実施例１】
【００３６】
具体例として、図１のダレスバックに類似したクラムシェル型のビジネスバックの斜視図で実施の形態を説明する。 
【００３７】
図中、１は携行用容器本体であって、ここではビジネスバックに類似したクラムシェル型を挙げているが、一例である。
本実施例では、携行用容器本体（１）と、その背面側の上部付近に設けた接続部１１（以下、第一の接続部という。）で懸垂するための構造を２１の形態で図示した。３１は、背に吊るために構成した肩に担いで支える構造（以下、肩に担いで支える構造という。）である。手前側の構造のみ図示し、左右対称につき奥側は省略した。４１は、前記肩に担いで支える構造（３１）と前記懸垂するための構造（２１）の支点を兼ねる接続部（以下、第二の接続部という。）である。
５１は、前記肩に担いで支える構造（３１）と前記懸垂するための構造（２１）を束ねるための上下する環状などの構造（以下、第一の環状構造という。）である。６１は第一の環状構造（５１）の下部にあって前記肩に担いで支える構造（３１）の左右を束ねるための上下する環状などの構造（以下、第二の環状構造という。）である。
７１は、背に吊ろうとする際に利用する頂点部に設けた一時的につかむための構造（以下、つかむための構造という。）である。８１は、つかむための構造（７１）の先端に設けた前記肩に担いで支える構造（３１）を収納する際に携行用容器本体（１）側と対となる一時的に接続するための構造である。９１は、前記懸垂するための構造（２１）と前記肩に担いで支える構造（３１）を収納した際のカバーとなる表装である。１０１は、前記表装（９１）と前記携行用容器本体（１）の前面側に設けた対となる接続部（以下、第三の接続部という。）である。
１１１は図示上、ほかの部位の説明に邪魔になるので左右対称につき手前部分を省略したが、前記懸垂するための構造（２１）と前記表装（９１）で袋状を形成するための構造である。１２１は、前記表装（９１）と前記懸垂するための構造（２１）の接続部（以下、第四の接続部という。）である。
１３１は、作り付け又は着脱可能な緩衝材又は緩衝材を兼ねる収納容器である。１４１は、収納容器（１３１）の蓋である。１５１は、収納容器（１３１）と懸垂するための構造（２１）を挟んで反対側にも設ける省略した収納容器であるが、１３１と同様取り外し可能な構造の場合を注意喚起するために未接続の形で図示した。
【００３８】
まず、前記一時的に接続するための構造（８１）を解除し、前記携行用容器本体（１）の表側に前記つかむための構造（７１）を倒し、前記表装（９１）を第三の接続部（１０１）で接続し、前記つかむための構造（７１）を掴んで前記携行用容器本体（１）をぶら下げる。
【００３９】
次に、前記肩に担いで支える構造（３１）の前記第二の環状構造（６１）の下から前記第二の環状構造（６１）と前記第一の環状構造（５１）を持ち上げる様に前記肩に担いで支える構造（３１）に腕をとおすことで背に吊る機能が発揮される。
【００４０】
すなわち、収納する際は前記と逆の手順となる。前記携行用容器本体（１）が自立可能で地面や机などに置く場合、前記つかむための構造（７１）をつかんでから置けば前記第一の環状構造（５１）と前記第二の環状構造（６１）が自重で下がり左右の前記肩に担いで支える構造が散乱するのを防ぎ第三の接続部（１０１）による張力で前記懸垂するための構造（２１）が地面などに触れるのを防ぐ。
【００４１】
当然、既存の複数の携行手段を有する携行用容器に比べ参考文献のような煩雑な手順を要せずに背に吊る構造を展開できる。背中の上部に前記携行用容器本体（１）が無いので通気性を考慮する必要がない。湿気が溜まらないので着衣の背部に深刻なシワを作りにくい。
【００４２】
また、前記携行用容器本体（１）の荷重は、前記懸垂するための構造（２１）の前記第二の接続部（４１）と前記第一の接続部（１１）の位置で吊る形で分散する。前記携行用容器本体（１）と収納容器（１３１）の接続部を前記第二の接続部（４１）の位置よりも上部に設けることで、背に吊る際に前記携行用容器本体（１）の重心が前記懸垂するための構造（２１）に近付き、前記表装（９１）で吊ることにより重心は前記第二の接続部（４１）に近付く。
【００４３】
さらに、前記表装（９１）で吊ることで前記携行用容器本体（１）に傾斜が生まれ前記肩に担いで支える構造（３１）の下端が前記携行用容器本体（１）に引っ張られ、前記肩に担いで支える構造（３１）を引き締める効果が生じ、後方から手を入れ辛くなり、着用者は後ろ手で手を入れやすくなる。その際に前記収納容器（１３１）が体に掛かる圧迫を緩和する。
【００４４】
一例であるが、収納時に左右の前記収納容器（１３１）に前記表装（９１）の外観を揃えてデザインするなど、統一的な一体物としての美観を持たせる事もできる。
以下、本発明の他の実施の形態も図に基づいて説明する。
【実施例２】
【００４５】
図２は本発明の懸垂するための構造（２２）と肩に担いで支える構造（３２A及び３２B）という基本構造を側面と底面を有さない前面側と背面側の二面からなる携行用容器（２）に適用した場合の一実施形態を示す斜視図である。 
【００４６】
図１と類似した前記の３つの部材と接続部に一時的な接続を行う構造（８２）及び（１６２）からなる携行用容器である。 
【００４７】
一例であるが低年齢層向けに資料等を配布するために用いる紙類や合成樹脂等を利用した携行用容器を想定できる。封筒型であれば、封筒におけるべろにあたるの部分の有る面が背面側になる。封筒であれば口糊のあたる携行用容器の部分に面ファスナーや玉付封筒の紐などの一対の一時的に接続するための構造を設ける事が出来る。
【００４８】
さらに一例であるがPP素材などによる手提げ型であった場合も同様に把手の下などに面ファスナーなどの一対の一時的に接続するための構造を設ける事が出来る。
【００４９】
その際、前記肩に担いで支える構造（３２A及び３２B）の前記懸垂するための構造（２２）に対する取り付け角度や前記肩に担いで支える構造（３２A及び３２B）の下端と前記携行用容器（２）との接続部を設ける位置に対応して決定する懸垂するための構造（２２）の太さ、素材の形状、又は前記携行用容器（２）の開口部を含む周辺の形状は当業者が取捨選択する箇所となるので図示を簡略化した。
【００５０】
動作は表装に関わる処理を除き図１を簡略化した物になる。前記一時的な接続を行う構造（８２）として設けられた両面テープや完全に接着された端部の周辺に刻まれたミシン目から剥がし、前記懸垂するための構造（２２）を捲り上げることで前記携行用容器（２）と挟まれている肩に担いで支える構造（３２A及び３２B）が露出する。
【００５１】
しかし、前記携行用容器（２）と前記懸垂するための構造（２２）で前記肩に担いで支える構造（３２A及び３２B）を挟み込んで収納する際、前記一時的な接続を行う構造（１６２）は前記懸垂するための構造（２２）側のその位置に前記肩に担いで支える構造（３２A及び３２B）を谷折りになる癖を付けるなどの加工を施せば省略可能である。
【００５２】
効果も表装と緩衝材に関わる範囲を除き図１とほぼ同一である。
【００５３】
低年齢層向けであった場合は、紛失、振り回すなどによる被害の防止、着用者とクリア素材に尻尾が印刷されているなど、前記携行用容器（２）の印刷、前記携行用容器（２）内の資料及び着用者を一体化することで得られる視覚からくる第三者への広告効果などが有る。
【００５４】
一例であるが、体の前にくるように腕を通せば、素材や前記懸垂するための構造（２２）の幅にも依るが簡易の前掛けや食いこぼしなどを前記携行用容器（２）に落として前記携行用容器（２）ごと処分するような涎掛けなどの用法も開ける。
【００５５】
図３は、図２から基本部分の最低限の構造を抽出して図示したもので、携行用容器（２）の容器本体と、その背面側の上部付近に設けた接続部（１２）で懸垂する。４２は、前記肩に担いで支える構造（３２A及び３２B）と前記懸垂するための構造（２２）の支点を兼ねる接続部である。１６２は、前記懸垂するための構造（２２）に 前記肩に担いで支える構造 （３２A及び３２B）を一時的な接続を行う構造である。２０２A及び２０２Bは、前記肩に担いで支える構造（３２A及び３２B）の下端（以下、下端という。）である。
【００５６】
携行用容器本体（２）の背面に、接続部（１２）と下端（２０２A及び２０２B）を左右の均衡が取れる位置でそれぞれを取り付けるための構造を接続する。
【００５７】
前記肩に担いで支える構造（３２A及び３２B） を携行用容器本体と前記懸垂するための構造（２２）で挟み込んで収納した際、携行用容器本体の底面に向かって折り畳んだ前記懸垂するための構造（２２）がはみ出さないような位置で接続する。
【００５８】
下端（２０２A及び２０２B）については、位置、形状ともに当業者が取捨選択する物であり本発明においては要点から外れるので、言及するのは、最低限の構造を抽出した図３及び図４のみに控えて、ほかの図面においては省略する。
【００５９】
一例であるが、図３と背面までをセットで製造しユニット化することで既存の携行用容器に圧着や貼り付けが容易となり、図２と同様の効果を得ることができる。
【００６０】
また、前記懸垂するための構造（２２）の下部を前後で二股にすれば、携行用容器本体（２）を挟み込むことや図１の前記表装（９１）と同様の効果を得られる。
【００６１】
図４は、図２の肩に担いで支える構造 （３２A及び３２B）を携行用容器本体と懸垂するための構造で挟み込んで収納した際の肩に担いで支える構造（３２A及び３２B） の折り畳み例の背面図である。
【００６２】
ただし、視認性を確保するため下端（２０２A及び２０２B）を左右外側にずらしている。
なお、前記肩に担いで支える構造（３２A及び３２B）の下端（２０２A及び２０２B）寄りに、折り返しを設けたのは前記肩に担いで支える構造（３２A及び３２B）の長さが足りない場合の伸長方法の例を示唆するためである。当然既存の方法でも良い。
【実施例３】
【００６３】
図５は図２の構成に側面と底面を有する前面側と背面側の五面からなる携行用容器（３）に適用し応用した場合の一実施形態を示す斜視図である。
【００６４】
動作は前記懸垂するための構造（２３）が逆側に開閉することに関わる処理を除き図２とほぼ同一である。なお、前記懸垂するための構造（２３）の裏側、把手（１７３B）と向かい合う部分に把手（１７３B）を接続し牽引するための接続部を設けることも考慮する。
【００６５】
効果も図２とほぼ同一である。なお、可能ならば図１の前記携行用容器（１）を前記携行用容器（３）と切り替えてその他の構成を同一又は類似にしてもよい。
【実施例４】
【００６６】
図６は図１のユニットを円柱状で側面に開口部を有する携行用容器（４）に適用し応用した場合の一実施形態を示す斜視図である。
【００６７】
図１の構成を前記携行用容器（４）に適用し把手（１７３Ａ及び１７３B）と緩衝材代わりの膨らみ（１３４）さらに補強材（１８４）を加え前記第二の環状構造（６１）と前記収納容器（１３１）を省いた一例である。ボストンバックや自転車用の輪行袋などといった携行用容器も想定に含まれ、また、剛性の高い物であれば前記緩衝材（１３１）を残し一部の楽器のケースやボンベなどといった携行用容器も想定に含まれる。ほかの実施例に対して、前記肩に担いで支える構造（３４）が３つ折になることを特徴とする。
【００６８】
動作は前記肩に担いで支える構造（３４）が３つ折になることに関わる処理を除き図１とほぼ同一である。本来なら図１の前記懸垂するための構造（２１）、前記表装（９１）、前記袋状を形成するための構造（１１１）と第一の環状構造（５４兼７４）を組み合わせて前記表装（９１）の散乱を防ぐ例として図示すべきだが、要点の説明と図の視認性を優先するために省略した。なお、前記肩に担いで支える構造（３４）の長さを確保するための一例である。
【００６９】
効果は、図１とほぼ同一である。
【実施例５】
【００７０】
図７は図１のユニットを携行用容器（５）に適用し応用した場合の一実施形態を示す斜視図である。
【００７１】
図１の構成をサイズが小さめの前記携行用容器（５）に適用し、一例として前記肩に担いで支える構造（３１）の長さを確保するため、前記肩に担いで支える構造（３５）と前記懸垂するための構造（２５）を三つ折りにして収納できることに特徴がある。
【００７２】
動作は前記肩に担いで支える構造（３５）と前記懸垂するための構造（２５）が３つ折になることに関わる処理と前記表装（９５）が前記把手（１７５A）に接続する事を除き図６とほぼ同一である。前記懸垂するための構造（２５）と前記表装（９５）が不要に拡がらないようにする対策についても同様である。なお、前記三つ折りは長さを確保するための一例である。
【００７３】
効果は、図１とほぼ同一である。
【実施例６】
【００７４】
図８は図１のユニットを携行用容器（６）に適用し応用した場合の一実施形態を示す斜視図である。
【００７５】
図１の構成を主に液体を取り扱うための前記携行用容器（６）に適用し、作り付け又は着脱可能な緩衝材又は緩衝材を兼ねる収納容器（１３６）へ前記肩に担いで支える構造（３６）の下端が接続されていることを特徴とする。
【００７６】
３６は、前記肩に担いで支える構造である。手前側の構造のみ図示し、左右対称につき奥側は省略した。
【００７７】
動作は図１とほぼ同一である。前記懸垂するための構造（２５）と前記表装（９５）が不要に拡がらないようにする対策についても同様である。
【００７８】
効果は、図１とほぼ同一である。
【実施例７】
【００７９】
図９は図１のユニットを携行用容器（７）に適用し応用した場合の一実施形態を示す斜視図である。
【００８０】
３７は、前記肩に担いで支える構造として図示した爪状の構造である。４７は、前記肩に担いで支える構造（３７）と前記懸垂するための構造（２７）の接続部である。
５７は、前記肩に担いで支える構造（３７）と前記懸垂するための構造（２７）を束ねるための上下する環状などの構造（以下、第一の環状構造という。）である。７７は、接続部（４７）と共用の背に吊ろうとする際に利用する一時的につかむために設けた環状などの構造である。
９７は、前記肩に担いで支える構造（３７）を収納した際のカバーとなる表装の芯である。１２７は、前記表装の芯（９７）と前記懸垂するための構造（２７）の接続部で前記第一の環状構造（５７）と共用である。
１３７は、作り付け又は着脱可能な緩衝材又は緩衝材を兼ねる収納容器で本例では前記肩に担いで支える構造（３７）を横たえて差し込む支持体を兼ね、左右対称に付き奥側を省略した。
【００８１】
一例ではあるが、生鮮物、冷蔵物、冷凍物等を携行する保温容器や、クーラーボックスなど又は、内容物を携行するために剛性の高い容器を要する場合の携行用容器である。また、背に吊るために構成した肩に担いで支える構造として、紐状の構造以外を採用した一例である。
【００８２】
表装を外し前記携行用容器（７）の表側に前記表装の芯（９７）を廻し接続する。１３７から前記爪状の構造（３７）を閂を外すように引き抜く。次いで前記第一の環状構造（５７）を持ち上げる様に前記肩に担いで支える構造（３７）に腕をとおすことで背に吊る機能が発揮される。収納する際は前記と逆の手順となる。
【００８３】
効果は、図１とほぼ同一である。なお、一例ではあるが前記懸垂するための構造（２７）にかかる前記携行用容器（７）の重量は前記接続部（４７）を介して前記爪状の構造（３７）を前後に引き締め、前記第一の環状構造（５７）にかかる前記表装の芯（９７）を介した前記携行用容器（７）が表側に向かって傾斜しようとする力を利用して前記爪状の構造（３７）を前記携行用容器（７）に向かって引っ張る力を補助し前記爪状の構造（３７）によって前記携行用容器（７）を懸垂する。
【００８４】
図１０は、本発明の実施例１を背に吊った参考図である。
【００８５】
今回開示された実施形態はすべての点で例示であって制限的なものではないと考えられるべきである。本発明の範囲は上記した説明ではなく特許請求の範囲によって示され、特許請求の範囲と均等の意味及び範囲内でのすべての変更が含まれることが意図される。
【符号の説明】
【００８６】
１、２、３、４、５、６、７  携行用容器本体
１１、１２、１３、１４、１５、１７  第一の接続部
２１、２２、２３、２４、２５、２６、２７  懸垂するための構造
３１A及び３１B、３２A及び３２B、３３A及び３３B、３４A及び３４B、３５A及び３５B、３６A及び３６B、３７A及び３７B  肩に担いで支える構造
４１、４２、４３、４４、４５、４６、４７  第二の接続部
５１、５４、５５、５６、５７  第一の環状構造
６１、６６  第二の環状構造
７１、７４、７５、７７  つかむための構造
８１、８３、８４、８５、８６  肩に担いで支える構造を収納する際に携行用容器本体側と対となる一時的に接続するための構造
９１、９４、９５、９６、９７  表装
１０１、１０４、１０６  第三の接続部
１１１  懸垂するための構造と表装の側面
１２１、１２４、１２５、１２６、１２７  第四の接続部
１３１、１３４、１３６、１３７  緩衝材又は収納容器
１４１  収納容器の蓋
１５１  緩衝材の未接続
１６２  懸垂するための構造と背に吊るために構成した肩に担いで支える構造の一時的な接続を行う構造
１７３、１７４、１７５  手提げ用の把手
１８４、１８６  補強材
１９５  表装と手提げ用の把手に設けた対となる接続部
【図１】
2016101310.tif 000003
【図２】
2016101310.tif 000004
【図３】
2016101310.tif 000005
【図４】
2016101310.tif 000006
【図５】
2016101310.tif 000007
【図６】
2016101310.tif 000008
【図７】
2016101310.tif 000009
【図８】
2016101310.tif 000010
【図９】
2016101310.tif 000011
【図１０】
2016101310.tif 000012